(57)【要約】【課題】  保護手段が乗員を適切に保護できる乗員保護装置を得る。【解決手段】  乗員保護装置では、車両の衝突が予測された際にアクティブバンパが作動されて前方へ突出されると共に、車両が衝突する際にシートベルト装置、エアバッグ装置及びステアリング装置が作動されて乗員が拘束される。ここで、車両が衝突する際に、アクティブバンパが作動されていない場合と作動途中である場合と作動を完了している場合とで、シートベルト装置及びエアバッグ装置が作動されるセンシングマップ及びシートベルト装置、エアバッグ装置及びステアリング装置の拘束スペックが変更される。このため、車両が衝突する際のアクティブバンパの作動状況に対応してシートベルト装置、エアバッグ装置及びステアリング装置が乗員を適切に保護できる。【選択図】    図１
2005104395.tif 000002
【特許請求の範囲】
【請求項１】
車両の衝突が予測された際に作動されて突出される突出部材と、
車両が衝突する際に作動されて乗員を保護する保護手段と、
車両が衝突する際の前記突出部材の作動状況に対応して前記保護手段の作動状況を制御する制御手段と、
を備えた乗員保護装置。
【請求項２】
前記制御手段は、車両が衝突する際の前記突出部材の作動状況に対応して前記保護手段が作動する閾値を制御する、ことを特徴とする請求項１記載の乗員保護装置。
【請求項３】
前記制御手段は、車両が衝突する際の前記突出部材の作動状況に対応して前記保護手段が乗員に与える荷重を制御する、ことを特徴とする請求項１または請求項２記載の乗員保護装置。
【発明の詳細な説明】
【技術分野】
【０００１】
本発明は、突出可能とされた突出部材と乗員を保護可能とされた保護手段とを備えた乗員保護装置に関する。
【背景技術】
【０００２】
乗員保護装置としては、車両の衝突が予測された際に車体前方へ突出されるバンパ本体を備えたものがある（例えば、特許文献１参照）。
【０００３】
さらに、一般に、乗員保護装置は、シートベルト装置やエアバッグ装置等の乗員拘束装置を備えており、車両が衝突する際（車両の減速加速度が閾値以上になった際）には、乗員拘束装置が作動されることで乗員を拘束する。
【０００４】
ここで、このような乗員保護装置では、車両の衝突が予測されてから車両が衝突するまでの時間に応じて、車両が衝突する際のバンパ本体の突出量が相違することで、車両が衝突する際における車両の形状が相違する。
【０００５】
しかしながら、上記乗員拘束装置の作動は、車両が衝突する際における車両の形状の相違に対応（リンク）されていない。
【０００６】
このため、車両の衝突対象が同一形態であっても、車両が衝突する際における車両の形状の相違によって車両の衝突による減速特性が相違することで、乗員拘束装置が作動する閾値（センシングマップ）が適切な閾値からずれたり、乗員拘束装置による乗員の拘束力（拘束スペック）が適切な拘束力からずれる可能性がある。
【特許文献１】特開平１１−２９１８４５号公報
【発明の開示】
【発明が解決しようとする課題】
【０００７】
本発明は上記事実を考慮し、車両が衝突する際の突出部材の作動状況に対応して保護手段が乗員を適切に保護できる乗員保護装置を得ることが目的である。
【課題を解決するための手段】
【０００８】
請求項１に記載の乗員保護装置は、車両の衝突が予測された際に作動されて突出される突出部材と、車両が衝突する際に作動されて乗員を保護する保護手段と、車両が衝突する際の前記突出部材の作動状況に対応して前記保護手段の作動状況を制御する制御手段と、を備えている。
【０００９】
請求項２に記載の乗員保護装置は、請求項１に記載の乗員保護装置において、前記制御手段は、車両が衝突する際の前記突出部材の作動状況に対応して前記保護手段が作動する閾値を制御する、ことを特徴としている。
【００１０】
請求項３に記載の乗員保護装置は、請求項１または請求項２に記載の乗員保護装置において、前記制御手段は、車両が衝突する際の前記突出部材の作動状況に対応して前記保護手段が乗員に与える荷重を制御する、ことを特徴としている。
【発明の効果】
【００１１】
請求項１に記載の乗員保護装置では、車両の衝突が予測された際に突出部材が作動されて突出されると共に、車両が衝突する際に保護手段が作動されて乗員を保護する。
【００１２】
ここで、制御手段によって、車両が衝突する際の突出部材の作動状況に対応して保護手段の作動状況が制御される。これにより、車両が衝突する際の突出部材の作動状況に対応して保護手段の作動状況を適切にできるため、保護手段が乗員を適切に保護することができる。
【００１３】
請求項２に記載の乗員保護装置では、制御手段によって、車両が衝突する際の突出部材の作動状況に対応して保護手段が作動する閾値が制御されるため、車両が衝突する際の突出部材の作動状況に対応して保護手段が作動する閾値を適切にすることができる。
【００１４】
請求項３に記載の乗員保護装置では、制御手段によって、車両が衝突する際の突出部材の作動状況に対応して保護手段が乗員に与える荷重が制御されるため、車両が衝突する際の突出部材の作動状況に対応して保護手段が乗員に与える荷重を適切にすることができる。
【発明を実施するための最良の形態】
【００１５】
図２には、本発明の実施の形態に係る乗員保護装置１０が適用されて構成された車両１２が左斜め前方からの斜視図にて示されている。なお、本実施の形態では、車両１２の上方を「上方」とし、車両１２の下方を「下方」とし、車両１２の前方を「前方」とし、車両１２の後方を「後方」とし、車両１２の右方を「右方」とし、車両１２の左方を「左方」とする。
【００１６】
本実施の形態に係る乗員保護装置１０は、アクティブセーフティバンパ装置１４を備えている。
【００１７】
アクティブセーフティバンパ装置１４は、衝突予測手段を構成する電子スキャンタイプのミリ波レーダ１６を有しており、ミリ波レーダ１６は、車体１８の前端上部中央に配置されて、車両１２と車両１２前方の障害物（図示省略）との距離を測定する。
【００１８】
アクティブセーフティバンパ装置１４は、衝突予測手段を構成するステレオタイプの画像センサ２０を有しており、画像センサ２０は、車室２２内の前端上部中央のインナミラー（図示省略）に配置されて、障害物の画像を立体的に撮影する。
【００１９】
ミリ波レーダ１６及び画像センサ２０には、衝突予測手段を構成するプリクラッシュセンサ２４（衝突判断ＥＣＵ）が接続されており、プリクラッシュセンサ２４は、車体１８の前部内に配置されている。プリクラッシュセンサ２４は、ミリ波レーダ１６からの車両１２と障害物との距離情報、画像センサ２０からの障害物の画像情報、及び、算出した車両１２の障害物に対する速度に基づいて、車両１２の障害物との衝突を予測可能とされている。
【００２０】
プリクラッシュセンサ２４は、制御手段としてのバンパコントロールＥＣＵ２６に接続されており、バンパコントロールＥＣＵ２６は車体１８の前部内に配置されている。プリクラッシュセンサ２４が車両１２の障害物との衝突を予測した際（車両１２の障害物との衝突直前）には、プリクラッシュセンサ２４が作動して、プリクラッシュセンサ２４からバンパコントロールＥＣＵ２６へ衝突予測信号が送信される。
【００２１】
アクティブセーフティバンパ装置１４は、突出部材としてのアクティブバンパ２８を有しており、アクティブバンパ２８は、車体１８の前端下部に配置されている。アクティブバンパ２８の後面には、左右両端部において、駆動軸３０が固定されており、各駆動軸３０は、アクティブバンパ２８から後方へ延伸している。各駆動軸３０は、筒状の支持筒３２に収容されて支持されており、各支持筒３２は、車体１８の前部内に固定されている。
【００２２】
図３（Ａ）に示す如く、各駆動軸３０は各支持筒３２から前方へ突出しない状態に収容されており、これにより、アクティブバンパ２８は、各支持筒３２に各駆動軸３０を介して支持されて、車体１８の前端下部から前方へ突出しない状態にされている。各駆動軸３０の後端側には作動アクチュエータ３４が接続されており、各作動アクチュエータ３４はバンパコントロールＥＣＵ２６に接続されている。
【００２３】
プリクラッシュセンサ２４が車両１２の障害物との衝突を予測した際（プリクラッシュセンサ２４が作動してバンパコントロールＥＣＵ２６へ衝突予測信号を送信した際）には、バンパコントロールＥＣＵ２６が各作動アクチュエータ３４へ作動信号を送信して、各作動アクチュエータ３４が作動される。これにより、図３（Ｂ）にも示す如く、各駆動軸３０が各支持筒３２から前方へ突出されることで、アクティブバンパ２８が作動されて車体１８の前端下部から前方へ突出される。
【００２４】
作動アクチュエータ３４、駆動軸３０及び支持筒３２の何れか１つには、ストロークセンサ（図示省略）が設けられており、ストロークセンサは駆動軸３０の支持筒３２からの突出ストローク（移動ストローク）を検出する。ストロークセンサはバンパコントロールＥＣＵ２６に接続されており、ストロークセンサはバンパコントロールＥＣＵ２６へ駆動軸３０の支持筒３２からの突出ストロークを送信する。
【００２５】
各支持筒３２の前端は各駆動軸３０の後端側を係止可能とされており、アクティブバンパ２８が作動された際に、各支持筒３２の前端に各駆動軸３０の後端側が係止されることで、図３（Ｃ）に示す如く、アクティブバンパ２８の車体１８前端下部から前方への突出が完了されて作動が完了される。支持筒３２の前端または駆動軸３０の後端側にはタッチセンサ（図示省略）が固定されており、タッチセンサが支持筒３２前端への駆動軸３０後端側の係止（接触）を検出することで、アクティブバンパ２８の作動完了（突出完了）が検出される。タッチセンサはバンパコントロールＥＣＵ２６に接続されており、タッチセンサは、支持筒３２前端への駆動軸３０後端側の係止を検出した際に、係止検出信号をバンパコントロールＥＣＵ２６へ送信する。
【００２６】
図３に示す如く、各支持筒３２の前端にはロックアクチュエータ３６が固定されており、各ロックアクチュエータ３６はバンパコントロールＥＣＵ２６に接続されている。バンパコントロールＥＣＵ２６は、アクティブバンパ２８の作動が完了した際（タッチセンサから係止検出信号を送信された際）に、各ロックアクチュエータ３６へ作動信号を送信することで、各ロックアクチュエータ３６を作動させる。これにより、各ロックアクチュエータ３６によって各駆動軸３０が図３（Ｃ）の状態（アクティブバンパ２８の作動完了状態）にロック（係止）されて、各駆動軸３０の後方への移動が阻止される。このため、車両１２が障害物と衝突する際には、アクティブバンパ２８が障害物と接触して、各駆動軸及び各支持筒３２が塑性変形されることで、衝突エネルギーが吸収される。
【００２７】
バンパコントロールＥＣＵ２６は、プリクラッシュセンサ２４からの衝突予測信号の受信、各作動アクチュエータ３４への作動信号の送信、及び、ストロークセンサから受信した駆動軸３０の支持筒３２からの突出ストロークが０から変動を開始したことの少なくとも１つによって、アクティブバンパ２８が作動を開始したことを検出する。
【００２８】
また、バンパコントロールＥＣＵ２６は、タッチセンサからの係止検出信号の受信、各ロックアクチュエータ３６への作動信号の送信、アクティブバンパ２８が作動を開始したことを検出してからの経過時間が設定時間（アクティブバンパ２８が作動を開始してから完了するまでの時間）以上になったこと、及び、ストロークセンサから受信した駆動軸３０の支持筒３２からの突出ストロークが設定ストローク（アクティブバンパ２８が作動を完了した際の駆動軸３０の支持筒３２からの突出ストローク）になったことの少なくとも１つによって、アクティブバンパ２８が作動を完了したことを検出する。
【００２９】
さらに、バンパコントロールＥＣＵ２６は、アクティブバンパ２８が作動を開始したことを検出した後アクティブバンパ２８が作動を完了したことを検出する前であること、アクティブバンパ２８が作動を開始したことを検出してからの経過時間が０より大きく設定時間未満であること、及び、ストロークセンサから受信した駆動軸３０の支持筒３２からの突出ストロークが０より大きく設定ストローク未満であることの少なくとも１つによって、アクティブバンパ２８が作動途中であることを検出する。
【００３０】
アクティブバンパ２８が作動を完了された後に現実には車両１２が障害物に衝突しなかった際（アクティブバンパ２８が作動を開始したことを検出した後所定時間以上車両１２の障害物との衝突が検出されなかった際）には、バンパコントロールＥＣＵ２６が各ロックアクチュエータ３６及び各作動アクチュエータ３４へ復帰信号を送信して各ロックアクチュエータ３６及び各作動アクチュエータ３４が復帰作動される。これにより、図３（Ｂ）にも示す如く、各ロックアクチュエータ３６による各駆動軸３０のロックが解除されると共に、各作動アクチュエータ３４によって各駆動軸３０が後方へ移動されて各支持筒３２から前方への突出が解除されることで、アクティブバンパ２８が復帰作動されて車体１８前端下部から前方への突出が解除される。
【００３１】
車体１８前端の上下方向中間部には、バンパ３８が設けられており、バンパ３８は前方へ突出できない構成とされている。
【００３２】
乗員保護装置１０は、保護手段（乗員拘束手段）としてのシートベルト装置（図示省略）を備えており、シートベルト装置は、車室２２内の座席（図示省略）周辺に配置されている。シートベルト装置はシートベルト及び巻取装置を有しており、シートベルトは一端側が巻取装置に巻き取られると共に他端が車体１８に固定された状態で乗員に装着される。車両１２が障害物と衝突する際（車両１２の減速加速度が閾値以上になったことが検出された際）には、シートベルト装置が作動される。これにより、シートベルトが拘束巻取機能（例えばプリテンショナ機能）により巻取装置に巻き取られることで乗員が拘束されると共に、乗員からシートベルトにフォースリミッタ荷重以上の荷重が与えられた場合にフォースリミッタ機能によりシートベルトが巻取装置から引き出されることでシートベルトによる乗員の拘束力が過度に大きくならなくされて、乗員が保護される。
【００３３】
シートベルト装置は、センシングマップＡ、センシングマップＢ及びセンシングマップＣの３種類のセンシングマップで作動可能とされている。センシングマップＡでは、シートベルト装置が作動される車両１２の減速加速度の閾値が低くされる。センシングマップＣでは、シートベルト装置が作動される車両１２の減速加速度の閾値が高くされる。センシングマップＢでは、シートベルト装置が作動される車両１２の減速加速度の閾値がセンシングマップＡでの閾値とセンシングマップＣでの閾値との間にされる。
【００３４】
シートベルト装置は、拘束スペックα、拘束スペックβ及び拘束スペックγの３種類の拘束スペックで作動可能とされている。拘束スペックαでは、拘束巻取機能によるシートベルトの巻取力が大きくされると共に、フォースリミッタ機能が作動するフォースリミッタ荷重が大きくされて、乗員の拘束力（シートベルト装置が乗員に与える荷重）が大きくされる。拘束スペックγでは、拘束巻取機能によるシートベルトの巻取力が小さくされると共に、フォースリミッタ機能が作動するフォースリミッタ荷重が小さくされて、乗員の拘束力が小さくされる。拘束スペックβでは、拘束巻取機能によるシートベルトの巻取力が拘束スペックαでの巻取力と拘束スペックγでの巻取力との間にされると共に、フォースリミッタ機能が作動するフォースリミッタ荷重が拘束スペックαでのフォースリミッタ荷重と拘束スペックγでのフォースリミッタ荷重との間にされて、乗員の拘束力が拘束スペックαでの拘束力と拘束スペックβでの拘束力との間にされる。
【００３５】
乗員保護装置１０は、保護手段（乗員拘束手段）としてのエアバッグ装置（図示省略）を備えており、エアバッグ装置は、座席の前方上部（例えばステアリングホイールやインストルメントパネル）や座席の前方下部に配置されている。エアバッグ装置はエアバッグ（袋体）を有しており、エアバッグには排気口が形成されている。車両１２が障害物と衝突する際（車両１２の減速加速度が閾値以上になったことが検出された際）には、エアバッグ装置が作動される。これにより、エアバッグに気体が送られて膨張されることで乗員の頭部や脚部がエアバッグに拘束されると共に、エアバッグへ送られた気体が排気口から排出されることでエアバッグによる乗員の頭部や脚部の拘束が過度に大きくならないようにされて、乗員が保護される。
【００３６】
エアバッグ装置は、センシングマップＡ、センシングマップＢ及びセンシングマップＣの３種類のセンシングマップで作動可能とされている。センシングマップＡでは、エアバッグ装置が作動される車両１２の減速加速度の閾値が低くされる。センシングマップＣでは、エアバッグ装置が作動される車両１２の減速加速度の閾値が高くされる。センシングマップＢでは、エアバッグ装置が作動される車両１２の減速加速度の閾値がセンシングマップＡでの閾値とセンシングマップＣでの閾値との間にされる。
【００３７】
エアバッグ装置は、拘束スペックα、拘束スペックβ及び拘束スペックγの３種類の拘束スペックで作動可能とされている。拘束スペックαでは、エアバッグに送られる気体の量が多くされるか、エアバッグの排気口が小さくされるかの少なくとも一方とされて、乗員の拘束力（エアバッグ装置が乗員に与える荷重）が大きくされる。拘束スペックγでは、エアバッグに送られる気体の量が少なくされるか、エアバッグの排気口が大きくされるかの少なくとも一方とされて、乗員の拘束力が小さくされる。拘束スペックβでは、エアバッグに送られる気体の量が拘束スペックαでの量と拘束スペックγでの量との間にされるか、エアバッグの排気口が拘束スペックαでの大きさと拘束スペックγでの大きさの間の大きさにされるかの少なくとも一方とされて、乗員の拘束力が拘束スペックαでの拘束力と拘束スペックγでの拘束力との間にされる。
【００３８】
乗員保護装置１０は、保護手段（乗員拘束手段）としてのステアリング装置（図示省略）を備えており、ステアリング装置は、車室２２内の運転席前方に配置されている。ステアリング装置はステアリングホイール及びステアリングコラムを有しており、ステアリングホイールはステアリングコラムに支持されている。車両１２が障害物と衝突する際には、乗員頭部のステアリングホイールへの荷重によってステアリングコラムが作動される。すなわち、乗員の頭部がステアリングホイールに上記エアバッグを介して拘束されてステアリングコラムが塑性変形されることで、乗員頭部のステアリングホイールへの荷重がステアリングコラムに吸収されて、乗員が保護される。
【００３９】
ステアリング装置は、拘束スペックα、拘束スペックβ及び拘束スペックγの３種類の拘束スペックで作動可能とされている。拘束スペックαでは、ステアリングコラムの強度が大きくされて、乗員の拘束力（ステアリング装置が乗員に与える荷重）が大きくされる。拘束スペックγでは、ステアリングコラムの強度が小さくされて、乗員の拘束力が小さくされる。拘束スペックβでは、ステアリングコラムの強度が拘束スペックαでの強度と拘束スペックγでの強度との間にされて、乗員の拘束力が拘束スペックαでの拘束力と拘束スペックγでの拘束力との間にされる。
【００４０】
シートベルト装置、エアバッグ装置及びステアリング装置は、バンパコントロールＥＣＵ２６に接続されている。
【００４１】
車両１２の障害物との衝突が検出された際（車両１２が障害物と衝突する際）に、図３（Ａ）に示す如くアクティブバンパ２８が作動していない状態（アクティブバンパ２８が作動を開始したことをバンパコントロールＥＣＵ２６が検出する前）である場合には、シートベルト装置及びエアバッグ装置がセンシングマップＡで作動されると共に、シートベルト装置、エアバッグ装置及びステアリング装置が拘束スペックαで作動される。
【００４２】
車両１２の障害物との衝突が検出された際に、図３（Ｂ）に示す如くアクティブバンパ２８が作動途中であることをバンパコントロールＥＣＵ２６が検出した状態である場合には、シートベルト装置及びエアバッグ装置がセンシングマップＢで作動されると共に、シートベルト装置、エアバッグ装置及びステアリング装置が拘束スペックβで作動される。
【００４３】
車両１２の障害物との衝突が検出された際に、図３（Ｃ）に示す如くアクティブバンパ２８が作動を完了したことをバンパコントロールＥＣＵ２６が検出した状態である場合には、シートベルト装置及びエアバッグ装置がセンシングマップＣで作動されると共に、シートベルト装置、エアバッグ装置及びステアリング装置が拘束スペックγで作動される構成である。
【００４４】
次に、本実施の形態の作用を説明する。
【００４５】
以上の構成の乗員保護装置１０では、プリクラッシュセンサ２４が車両１２の障害物との衝突を予測した際に、アクティブバンパ２８が作動されて車体１８の前端下部から前方へ突出される。さらに、車両１２が障害物と衝突する際に、シートベルト装置、エアバッグ装置及びステアリング装置が作動されることで、乗員が拘束されて保護される。
【００４６】
ここで、図１に示す如く、バンパコントロールＥＣＵ２６によって、車両１２の障害物との衝突が検出された際のアクティブバンパ２８の作動状況に対応（リンク）して、シートベルト装置、エアバッグ装置及びステアリング装置の作動状況が制御される。
【００４７】
すなわち、ステップ１００における車両１２の通常走行状態から、ステップ１０２において、プリクラッシュセンサ２４が作動しない（車両１２の障害物との衝突を予測しない）ために、ステップ１０４において、アクティブバンパ２８が作動されない（車体１８の前端下部から前方へ突出されない）状態で、ステップ１０６において、車両１２の障害物との衝突が検出された場合には、ステップ１０８において、シートベルト装置及びエアバッグ装置がセンシングマップＡで作動されると共に、シートベルト装置、エアバッグ装置及びステアリング装置が拘束スペックαで作動される。このため、アクティブバンパ２８が作動されないために車体１８が障害物と衝突する前に衝突エネルギーが吸収されない（衝突エネルギーの吸収効率が低い）場合には、シートベルト装置及びエアバッグ装置が作動される車両１２の減速加速度の各閾値が低くされると共に、シートベルト装置、エアバッグ装置及びステアリング装置による乗員の拘束力が大きくされる。
【００４８】
なお、ステップ１０４において、アクティブバンパ２８が作動されない状態で、ステップ１１０において、車両１２の障害物との衝突が検出されない（車両１２が障害物と衝突しない）場合には、ステップ１００における車両１２の通常走行状態が継続される。
【００４９】
一方、ステップ１００における車両１２の通常走行状態から、ステップ１１２において、プリクラッシュセンサ２４が作動した（車両１２の障害物との衝突を予測した）ために、ステップ１１４において、アクティブバンパ２８が作動を開始された後、ステップ１１６において、アクティブバンパ２８が作動を完了した状態で、ステップ１１８において、車両１２の障害物との衝突が検出された場合には、ステップ１２０において、シートベルト装置及びエアバッグ装置がセンシングマップＣで作動されると共に、シートベルト装置、エアバッグ装置及びステアリング装置が拘束スペックγで作動される。このため、アクティブバンパ２８が作動を完了しているために車体１８が障害物と衝突する前に衝突エネルギーが充分に吸収された（衝突エネルギーの吸収効率が高い）場合には、シートベルト装置及びエアバッグ装置が作動される車両１２の減速加速度の各閾値が高くされると共に、シートベルト装置、エアバッグ装置及びステアリング装置による乗員の拘束力が小さくされる。
【００５０】
なお、ステップ１１６において、アクティブバンパ２８が作動を完了した後に、ステップ１２２において、車両１２の障害物との衝突が検出されない（車両１２が障害物と衝突しない）場合には、アクティブバンパ２８が復帰作動されて車体１８前端下部から前方への突出が解除されることで、ステップ１００における車両１２の通常走行状態に戻される。
【００５１】
また、ステップ１１４において、アクティブバンパ２８が作動を開始された後、ステップ１２４において、アクティブバンパ２８が作動途中である状態で、ステップ１２６において、車両１２の障害物との衝突が検出された場合には、ステップ１２８において、シートベルト装置及びエアバッグ装置がセンシングマップＢで作動されると共に、シートベルト装置、エアバッグ装置及びステアリング装置が拘束スペックβで作動される。このため、アクティブバンパ２８が作動途中であるために車体１８が障害物と衝突する前に衝突エネルギーがある程度吸収された（衝突エネルギーの吸収効率がある程度高い）場合には、シートベルト装置及びエアバッグ装置が作動される車両１２の減速加速度の各閾値がある程度高くされると共に、シートベルト装置、エアバッグ装置及びステアリング装置による乗員の拘束力がある程度小さくされる。
【００５２】
以上により、車両１２が障害物と衝突する際のアクティブバンパ２８の作動状況に対応してシートベルト装置、エアバッグ装置及びステアリング装置の作動状況（作動する閾値及び乗員の拘束力）を適切にできるため、シートベルト装置、エアバッグ装置及びステアリング装置が乗員を適切に拘束できて保護することができる。
【００５３】
なお、本実施の形態では、車両１２が障害物と衝突する際のアクティブバンパ２８の作動状況を３種類に分けてシートベルト装置、エアバッグ装置及びステアリング装置の作動状況を３種類に分けた構成としたが、車両１２が障害物と衝突する際のアクティブバンパ２８の作動状況を複数種類に分けてシートベルト装置、エアバッグ装置及びステアリング装置の作動状況を複数種類に分けた構成であればよい。
【００５４】
例えば、車両１２が障害物と衝突する際のアクティブバンパ２８の作動状況をアクティブバンパ２８が作動されない場合とアクティブバンパ２８が作動を完了された場合との２種類に分けてシートベルト装置、エアバッグ装置及びステアリング装置の作動状況を２種類に分けた構成としてもよい。また、車両１２が障害物と衝突する際のアクティブバンパ２８の作動状況をアクティブバンパ２８が作動途中である場合について複数種類に分けてシートベルト装置、エアバッグ装置及びステアリング装置の作動状況を４種類以上に分けた構成としてもよい。
【００５５】
さらに、本実施の形態では、ストロークセンサ、タッチセンサ及びロックアクチュエータ３６を設けた構成としたが、ストロークセンサ、タッチセンサ及びロックアクチュエータ３６の少なくとも１つを設けない構成としてもよい。
【００５６】
また、本実施の形態では、突出部材をアクティブバンパ２８にした構成としたが、バンパ３８を突出可能にして突出部材をバンパ３８にした構成や、車両１２後端のバンパを突出可能にして突出部材をこのバンパにした構成としてもよい。さらに、車両１２のドアの少なくとも一部を突出可能にして突出部材をこのドアの少なくとも一部にした構成としてもよく、この場合、ドアに配置されるエアバッグ装置等が保護手段にされる。
【図面の簡単な説明】
【００５７】
【図１】本発明の実施の形態に係る乗員保護装置の制御を示すフローチャートである。
【図２】本発明の実施の形態に係る車両を示す左斜め前方からの斜視図である。
【図３】（Ａ）乃至（Ｃ）は、本発明の実施の形態に係る車両の主要部を示す左方からの側面図であり、（Ａ）は、アクティブバンパが作動されない状態を示す図であり、（Ｂ）は、アクティブバンパが作動途中である状態を示す図であり、（Ｃ）は、アクティブバンパが作動を完了した状態を示す図である。
【符号の説明】
【００５８】
１０    乗員保護装置
１２    車両
２６    バンパコントロールＥＣＵ（制御手段）
２８    アクティブバンパ（突出部材）
【図１】
2005104395.tif 000003
【図２】
2005104395.tif 000004
【図３】
2005104395.tif 000005